(57)【要約】【課題】タンクから供給ローラ、回転軸及び軸受けを介して洗浄液が漏れることがない洗浄機を提供する。【解決手段】洗浄液が注入された有底無蓋のタンクと、回転軸が水平で洗浄液に浸るように配置された供給ローラと、供給ローラの真上に平行、かつ接触するように配置され、回転軸が回転駆動される洗浄ローラと、を備え、供給ローラと洗浄ローラとの間で板状部材を洗浄する洗浄機において、洗浄ローラの回転軸の洗浄ローラの両端近傍に設けられた円盤状の洗浄ローラ側仕切り板と、供給ローラの回転軸の供給ローラの両端近傍に洗浄ローラ側仕切り板の外側と洗浄液に接触するように設けられた円盤状の供給ローラ側仕切り板と、を有する。【選択図】図１
2011072914.tif 000002
【特許請求の範囲】
【請求項１】
洗浄液が注入された有底無蓋のタンクと、
回転軸が水平で前記洗浄液に浸るように配置された供給ローラと、
前記供給ローラの真上に平行、かつ接触するように配置され、回転軸が回転駆動される洗浄ローラと、を備え、前記供給ローラと前記洗浄ローラとの間で板状部材を洗浄する洗浄機において、
前記洗浄ローラの回転軸の前記洗浄ローラの両端近傍に設けられた円盤状の洗浄ローラ側仕切り板と、
前記供給ローラの回転軸の前記供給ローラの両端近傍に前記洗浄ローラ側仕切り板の外側と前記洗浄液に接触するように設けられた円盤状の供給ローラ側仕切り板と、を有することを特徴とする洗浄機。
【請求項２】
前記供給ローラと前記洗浄ローラとの間に前記両ローラと平行になるように挿入された中継ローラと、
前記中継ローラの回転軸の前記中継ローラの両端近傍に前記洗浄ローラ側仕切り板と前記供給ローラ側仕切り板と接触するように設けられた円盤状の中継ローラ側仕切り板と、
を有することを特徴とする請求項１記載の洗浄機。
【請求項３】
洗浄液が注入された有底無蓋のタンクと、
回転軸が水平で前記洗浄液に浸るように配置された供給ローラと、
前記供給ローラの真上に平行、かつ接触するように配置され、回転軸が回転駆動される洗浄ローラと、を備え、前記供給ローラと前記洗浄ローラとの間で板状部材を洗浄する洗浄機において、
前記洗浄ローラの回転軸の前記洗浄ローラの両端近傍に設けられた円盤状の洗浄ローラ側仕切り板と、
前記洗浄ローラ側仕切り板の下端に接触すると共に液滴が前記タンクに落下するように配置された水切り板と、
を有することを特徴とする洗浄機。
【請求項４】
前記供給ローラと前記洗浄ローラとの間に前記両ローラと平行になるように挿入された中継ローラと、
前記中継ローラの回転軸の前記中継ローラの両端近傍に前記洗浄ローラ側仕切り板の何れかの円盤側面と接触するように設けられた円盤状の中継ローラ側仕切り板と、
を有することを特徴とする請求項３記載の洗浄機。
【請求項５】
前記洗浄ローラ側仕切り板及び前記中継ローラ側仕切り板は、円錐台形状であることを特徴とする請求項３または４記載の洗浄機。
【請求項６】
前記洗浄ローラ側仕切り板及び前記中継ローラ側仕切り板は、平凸レンズ形状であることを特徴とする請求項３または４記載の洗浄機。
【請求項７】
前記洗浄ローラ側仕切り板及び前記中継ローラ側仕切り板は、凸メニスカスレンズ形状であることを特徴とする請求項３または４記載の洗浄機。
【発明の詳細な説明】
【技術分野】
【０００１】
本発明は、一対のローラ間で板状部材を洗浄する洗浄機に関する。
【背景技術】
【０００２】
例えば、自動車工場の製造ラインにおいて、各部品箱に部品納入の時間や数量を明示した作業指示書をつけることが行われている。
この作業指示書は、通常リライタブルシートと呼ばれる板状部材であり、作業者がプリンタで印刷したり、消去したりすることにより使用される。
【０００３】
この種のリライタブルシートは、いわゆる「かんばん」として工場内で使用されるため、油等で汚れ、指示内容の読取が難しくなるため、洗浄する必要がある。
このリライタブルシートは、洗浄液が供給される一対のローラを有する洗浄機で洗浄される。
【０００４】
図７は、一般的な洗浄機の概念図である。
同図に示す洗浄機１０は、洗浄液１７が注入された有底無蓋のタンク１６と、回転軸１５が水平で洗浄液１７に接触するように配置された供給ローラ１４と、供給ローラ１４の真上に平行、かつ接触するように配置され、回転軸１１が回転駆動される洗浄ローラ１３と、を備え、供給ローラ１４と洗浄ローラ１３との間で板状部材（図示せず）を洗浄する装置である。
【０００５】
この洗浄機１０が動作すると、図示しないモータにより回転軸１１が回転し、回転軸１１に固定された洗浄ローラ１３が回転し、洗浄ローラ１３に接触する供給ローラ１４が洗浄ローラ１３と逆方向に回転する。供給ローラ１３が回転することによりその表面が洗浄液１７で覆われ、その一部が供給ローラ１３に付着して矢印Ｐ１方向に洗浄液が流れる。この結果両ローラ１３、１４の表面が洗浄液１７で覆われ、両ローラ１３、１４間に挿入される板状部材としてのリライタブルシートが洗浄される。
【０００６】
ところで、洗浄機１０は洗浄ローラ１３及び供給ローラ１４を回転させており、中心軸がずれると各ローラ１３、１４がバラツキ、リライタブルシートを十分に洗浄することができないだけでなく、周囲に洗浄液が飛散し、錆や電子部品のショートのおそれが生じる。
【０００７】
そこで、特許文献１には剥離ローラの軸穴内への粘着剤の進入を防止した技術が提案されている。
特許文献１に記載の発明は、「剥離ローラ」に関するものであり、具体的には、「台紙からラベルを剥離する剥離ローラであって、回転軸と、回転軸が挿入された軸穴と、軸穴の延在方向と平行な外周面を有し、外周面とプラテンローラの外周面との間にラベルが剥離された台紙を挟んで台紙を搬送する大径部と、大径部の端面から大径部と同軸に大径部の直径より小さい直径を有して延びる小径部と、小径部の延在方向と直交する方向に小径部の該大径部から離れた縁部から延びる鍔部と、を備えたローラ部と、を有し、大径部の端面と、小径部の外周面と、端面と対向した鍔部の表面とで少なくとも１つの凹部」が形成されているものである。
【０００８】
特許文献１に記載の発明によれば、台紙からローラ部の大径部の外周面に移って付着した粘着剤は、この凹部の鍔部を越えて回転軸の外周面が露出した側へ流出することが無くなる。そのため、剥離ローラの軸穴内に粘着剤が進入することが無くなるとしている。
【先行技術文献】
【特許文献】
【０００９】
【特許文献１】特開２００９−７８８３９号公報
【発明の概要】
【発明が解決しようとする課題】
【００１０】
ところで、図７に示した洗浄機においては、洗浄ローラ１３を覆う洗浄液１７の一部が矢印Ｐ２方向に流れると、軸受け１２ａ、１２ｂ（図では１２ｂだけであるが、１２ａにも流れる。）から液漏れが生じて、錆の発生や図示しない電子部品のショートのおそれが生じる。
【００１１】
しかしながら、特許文献１に記載の発明は、ローラの軸穴内への粘着剤の進入については改善されるものの、本願発明におけるタンク１７から供給ローラ１４、回転軸１１及び軸受け１２ａ、１２ｂを介して洗浄液が漏れる液漏れの問題については解決されていない。
【００１２】
そこで、本発明の目的は、タンクから供給ローラ、回転軸及び軸受けを介して洗浄液が漏れることがない洗浄機を提供することにある。
【課題を解決するための手段】
【００１３】
本発明の第１の装置は、洗浄液が注入された有底無蓋のタンクと、回転軸が水平で前記洗浄液に浸るように配置された供給ローラと、前記供給ローラの真上に平行、かつ接触するように配置され、回転軸が回転駆動される洗浄ローラと、を備え、前記供給ローラと前記洗浄ローラとの間で板状部材を洗浄する洗浄機において、前記洗浄ローラの回転軸の前記洗浄ローラの両端近傍に設けられた円盤状の洗浄ローラ側仕切り板と、前記供給ローラの回転軸の前記供給ローラの両端近傍に前記洗浄ローラ側仕切り板の外側と前記洗浄液に接触するように設けられた円盤状の供給ローラ側仕切り板と、を有することを特徴とする。
【００１４】
本発明の第２の装置は、洗浄液が注入された有底無蓋のタンクと、回転軸が水平で前記洗浄液に浸るように配置された供給ローラと、前記供給ローラの真上に平行、かつ接触するように配置され、回転軸が回転駆動される洗浄ローラと、を備え、前記供給ローラと前記洗浄ローラとの間で板状部材を洗浄する洗浄機において、前記洗浄ローラの回転軸の前記洗浄ローラの両端近傍に設けられた円盤状の洗浄ローラ側仕切り板と、前記洗浄ローラ側仕切り板の下端に接触すると共に液滴が前記タンクに落下するように配置された水切り板と、を有することを特徴とする
【発明の効果】
【００１５】
本発明によれば、洗浄ローラの回転軸の洗浄ローラの両端近傍に設けられた円盤状の洗浄ローラ側仕切り板と、供給ローラの回転軸の供給ローラの両端近傍に洗浄ローラ側仕切り板の外側と洗浄液に接触するように設けられた円盤状の供給ローラ側仕切り板と、を有することにより、洗浄ローラから回転軸に流れる余分な洗浄液が洗浄ローラ側仕切り板及び供給ローラ側仕切り板を伝わってタンクに戻るので、回転軸及び軸受けを介して洗浄液が漏れることがない洗浄機の提供を実現することができる。
【図面の簡単な説明】
【００１６】
【図１】本発明に係る洗浄機の一実施の形態を示す概念図である。
【図２】本発明に係る洗浄機の他の実施の形態を示す概念図である。
【図３】本発明に係る洗浄機の他の実施の形態を示す概念図である。
【図４】本発明に係る洗浄機の他の実施の形態を示す概念図である。
【図５】本発明に係る洗浄機の他の実施の形態を示す概念図である。
【図６】本発明に係る洗浄機の他の実施の形態を示す概念図である。
【図７】一般的な洗浄機の概念図である。
【発明を実施するための形態】
【００１７】
次に、本発明の実施の形態について図面を参照して説明する。
＜実施の形態１＞
図１は、本発明に係る洗浄機の一実施の形態を示す概念図である。尚、図５に示した部材と同様の部材には共通の符号を用いた。
［構  成］
同図に示す洗浄機１００は、洗浄液１７が注入された有底無蓋のタンク１６と、回転軸１５が水平で洗浄液１７に浸るように配置された弾性体（例えばスポンジ）からなる供給ローラ１４と、供給ローラ１４の真上に平行、かつ接触するように配置され、回転軸１１が回転駆動される弾性体（例えばスポンジ）からなる洗浄ローラ１３と、洗浄ローラ１３の回転軸１１の洗浄ローラ１３の両端近傍に設けられた円盤状の洗浄ローラ側仕切り板２０ａ、２０ｂと、供給ローラ１４の回転軸１５の供給ローラ１４の両端近傍に洗浄ローラ側仕切り板２０ａ、２０ｂの外側と洗浄液１７に接触するように設けられた円盤状の供給ローラ側仕切り板２１ａ、２１ｂと、を有する装置である。
【００１８】
洗浄ローラ側仕切り板２０ａ、２０ｂ、と供給ローラ側仕切り板２１ａ、２１ｂとで液漏れ防止器具が構成されている。液漏れ防止器具の材質は、例えばシリコーンゴムが挙げられるが、撥水性の部材であれば他の材質を用いてもよい。
【００１９】
回転軸１１、１５は、例えば、ステンレスロッドが挙げられる。
洗浄ローラ１３及び供給ローラ１４は、弾性体からなり、例えば、スポンジもしくはゴムが挙げられる。
軸受け１２ａ、１２ｂは、例えば、ボールベアリングが挙げられる。
タンク１６としては、例えば、プラスチック製の容器が挙げられる。
洗浄液１７としては、例えば、石鹸液、合成洗剤等が挙げられる。
【００２０】
［動  作］
洗浄機１００が動作を開始すると、図示しないモータにより回転軸１１が回転し、回転軸１１に固定された洗浄ローラ１３が回転し、洗浄ローラ１３に接触する供給ローラ１４が洗浄ローラ１３と逆方向に回転する。供給ローラ１３が回転することによりその表面が洗浄液１７で覆われ、その一部が供給ローラ１３に付着して矢印Ｐ３方向に洗浄液が流れる。この結果両ローラ１３、１４の表面が洗浄液１７で覆われ、両ローラ１３、１４間に挿入される板状部材としてのリライタブルシートが洗浄される。
【００２１】
洗浄ローラ１３を覆う洗浄液１７の一部が矢印Ｐ４方向に流れると、回転軸１１を伝わって軸受け１２ｂ方向に流れるが、洗浄ローラ側仕切り板２０ｂで遮られ、洗浄ローラ側仕切り板２０ｂの内側（洗浄ローラ１３側）に沿って供給ローラ側仕切り板２１ｂを伝わって矢印Ｐ５方向に流れ落ちてタンク１６に回収される。
この結果、回転軸及び軸受けを介して洗浄液が漏れることがない洗浄機の提供を実現することができる。
【００２２】
ところで、タンク１６は、図示しない器具により洗浄機１００の下から、供給ローラ１４ごと着脱自在に取り付けられるようになっている。また、供給ローラ１４はタンク１６に着脱自在に取り付けられている。このため、タンク１６を交換したり、供給ローラ１４を交換したりする度に供給ローラ１４と洗浄ローラ１３との間のテンションにバラツキが生じ、リライタブルシートに洗浄ムラが生じるおそれがある。
【００２３】
そこで、供給ローラ１４と洗浄ローラ１３との間のテンションのバラツキを抑えた洗浄機を提案した。
【００２４】
＜実施の形態２＞
図２は、本発明に係る洗浄機の他の実施の形態を示す概念図である。
図２に示した洗浄機の図１に示した洗浄機との相違点は、供給ローラ１４と洗浄ローラ１３との間に両ローラ１３、１４と平行になるように挿入された中継ローラ２３と、中継ローラ２３の回転軸２４の中継ローラ２３の両端近傍に洗浄ローラ側仕切り板２０ａ、２０ｂと供給ローラ側仕切り板２１ａ、２１ｂと接触するように設けられた円盤状の中継ローラ側仕切り板２２ａ、２２ｂと、を有する点である。
【００２５】
図２に示す洗浄機２００は、洗浄ローラ１３側の軸受け１２ａ、１２ｂ及び中継ローラ２３側の軸受け１２ｃ、１２ｄが洗浄機２００側に固定されており、タンク１６及び供給ローラ１４が洗浄機２００に着脱自在に取り付けられている。
【００２６】
このような洗浄機２００を用いても図１に示した実施の形態と同様にリライタブルシートを洗浄することができるだけでなく、洗浄ローラ１３側の軸受け１２ａ、１２ｂ及び中継ローラ２３側の軸受け１２ｃ、１２ｄが洗浄機２００側に固定されているので、供給ローラ１４と洗浄ローラ１３との間のテンションが常に一定となり、タンク１６を交換したり、供給ローラ１４を交換したりしてもリライタブルシートに洗浄ムラが生じることがない。
【００２７】
＜実施の形態３＞
図３は、本発明に係る洗浄機の他の実施の形態を示す概念図である。
なお、説明を簡単にするため、ベアリングは省略されている。
図３に示した洗浄機３００の図１に示した洗浄機との相違点は、洗浄ローラからの余剰洗浄液を少なくとも洗浄ローラ側仕切り板及び水切り板でタンクに戻すように構成した点である。
図３に示す洗浄装置は、洗浄液１７が注入された有底無蓋のタンク１６と、回転軸１５が水平で洗浄液１７に浸るように配置された供給ローラ１４と、回転軸２４が水平で供給ローラ１４の真上に平行、かつ接触するように配置された中継ローラ２３と、中継ローラ２３の真上に平行、かつ接触するように配置され、回転軸１１が回転駆動される破線で示す洗浄ローラ１３と、を備え、中継ローラ２３と洗浄ローラ１３との間で板状部材を洗浄する洗浄機であって、洗浄ローラ１３の回転軸１１の洗浄ローラ１３の両端近傍に設けられた破線で示す円盤状の洗浄ローラ側仕切り板２０ａａと、中継ローラ２３の回転軸２４の中継ローラ２３の両端近傍に洗浄ローラ側仕切り板２０ａａの内側の円盤側面と接触するように設けられた円盤状の中継ローラ側仕切り板２２ａａと、を有する。
洗浄ローラ側仕切り板２０ａａ及び中継ローラ側仕切り板２２ａａは、いずれも内側に向かって細くなる円錐台形状を有する。
【００２８】
このような仕切り板２０ａａを用いても図１に示した実施の形態と同様の効果が得られる。
洗浄ローラ１３の余剰洗浄液は、回転軸１１及び洗浄ローラ側仕切り板２０ａａを、遠心力及び重力により矢印方向に移動し、中継ローラ側仕切り板２２ａａを伝わって水切り板３１でタンク１６に洗浄液を戻す。この結果、回転軸及び軸受けを介して洗浄液が漏れることがない洗浄機の提供を実現することができる。
【００２９】
＜実施の形態４＞
図４は、本発明に係る洗浄機の他の実施の形態を示す概念図である。
図４に示した洗浄機４００の図３に示した洗浄機との相違点は、洗浄ローラ側仕切り板２０ａｂ及び中継ローラ側仕切り板２２ａｂは、いずれも平凸レンズ形状である点である。
すなわち、洗浄ローラ１３の回転軸１１に平凸レンズ（図では平凸レンズ形状であるが、両凸レンズ形状であってもよい。）形状の仕切り板２０ａｂが設けられている。
このような仕切り板２０ａｂを用いても図１に示した実施の形態と同様の効果が得られる。
【００３０】
＜実施の形態５＞
図５は、本発明に係る洗浄機の他の実施の形態を示す概念図である。
図５に示した洗浄機５００の図３に示した洗浄機との相違点は、洗浄ローラ側仕切り板２０ａｂ及び中継ローラ側仕切り板２２ａｂは、いずれも凸メニスカスレンズ形状である点である。
すなわち、洗浄ローラ１３の回転軸１１に凸メニスカスレンズ形状の仕切り板２０ａｃが設けられている。
このような仕切り板２０ａｃを用いても図１に示した実施の形態と同様の効果が得られる。
【００３１】
＜実施の形態６＞
図６は、本発明に係る洗浄機の他の実施の形態を示す概念図である。
図６に示した洗浄機６００の図３に示した洗浄機との相違点は、洗浄ローラ側仕切り板２０ａｄの内側の円盤側面が中継ローラ側仕切り板２２ａｄの外側の円盤側面に接触するように配置されている点である。
洗浄ローラ側仕切り板２０ａａ及び中継ローラ側仕切り板２２ａａは、いずれも外側に向かって細くなる円錐台形状を有する。
このような仕切り板２０ａｄを用いても図１に示した実施の形態と同様の効果が得られる。
【００３２】
なお、上述した実施の形態は、本発明の好適な実施の形態の一例を示すものであり、本発明はそれに限定されることなく、その要旨を逸脱しない範囲内において、種々変形実施が可能である。例えば、上述の説明では、板状部材の洗浄を行う洗浄機の場合について説明したが、本発明ではこれに限定されず、洗浄液の代わりに塗料を用いて板状部材の塗装を行ったり、洗浄液の代わりに消毒薬を用いて板状部材の消毒を行ったりしてもよい。また、図３〜図６に示した実施の形態では洗浄ローラ１３、中継ローラ２３、及び供給ローラ１４の三つのローラの場合で説明したが、本発明は、これに限定されず、供給ローラ１４と、洗浄ローラ１３との２つのローラで構成してもよい。
【産業上の利用可能性】
【００３３】
本発明は、洗浄機、塗装機、及び消毒器に利用することができる。
【符号の説明】
【００３４】
１１、１５、２４    回転軸
１２ａ、１２ｂ、１２ｃ、１２ｄ    軸受け
１３    洗浄ローラ
１４    供給ローラ
１６    タンク
１７    洗浄液
２０ａ、２０ｂ、２０ａａ、２０ａｂ、２０ａｃ、２０ａｄ    洗浄ローラ側仕切り板
２１ａ、２１ｂ    供給ローラ側仕切り板
２２ａ、２２ｂ    中継ローラ側仕切り板
２３    中継ローラ
３１    水切り板
１０、１００、２００、３００、４００、５００、６００    洗浄機
【図１】
2011072914.tif 000003
【図２】
2011072914.tif 000004
【図３】
2011072914.tif 000005
【図４】
2011072914.tif 000006
【図５】
2011072914.tif 000007
【図６】
2011072914.tif 000008
【図７】
2011072914.tif 000009